(57)【要約】【課題】物品のパレットからカートへの移し替え作業を省略して物品を効率良く出荷できるようにするカート搬送用パレットを提供する。【解決手段】パレット本体１の上面にパレット上に載置されたカートの前端部と係止するストッパ３を設け、パレット本体１の上面にカートの側面と当接してカートをストッパ３との係止位置へ案内する側面ガイド４を設け、パレット本体１上面の側面ガイド４と対向する位置に係止したカートを側面ガイド側へ付勢力で押し付ける押付ガイド５を設けた。【選択図】          図１
2004299746.tif 000002
【特許請求の範囲】
【請求項１】
パレット本体の上面に物品を運搬するカートを脱着自在に固定するカート脱着手段を設け、物品を積み付けたカートごとパレットで搬送できるようにしたカート搬送用パレット。
【請求項２】
カート脱着手段が、パレット本体の上面にパレット上に載置されたカートの前端部と係止するストッパを設け、前記パレット本体の上面に前記カートの側面と当接して前記カートを前記ストッパとの係止位置へ案内する側面ガイドを設け、前記パレット本体上面の前記側面ガイドと対向する位置に係止した前記カートを側面ガイド側へ付勢力で押し付ける押付手段を設けたものである請求項１記載のカート搬送用パレット。
【請求項３】
押付手段が、長板部材の一端部を回動自在に軸支してバネで側面ガイド側へ付勢するようにし、前記長板部材のカート出入側部を側面ガイドから離間するように形成し、カートをストッパ側へ円滑に案内しながら側面ガイド側へ押付できるようにしたものである請求項２記載のカート搬送用パレット。
【請求項４】
押付手段の押付状態の保持及びその解除を行う操作ペダルを設けた請求項２又は３記載のカート搬送用パレット。
【請求項５】
パレット本体の上面に金属製の平滑な面板を敷設し、カートの移動を円滑にした請求項１〜４いずれか記載のカート搬送用パレット。
【請求項６】
請求項１〜５いずれか記載のカート搬送用パレットを移送するコンベヤの途中にカートを前記カート搬送用パレットへ投入するカート通路を設け、同カート通路の路端に同路端から前記パレット上面と重なる位置までの長さを有する可倒ステップを上方へ浮くように付勢して設け、カート投入時に前記可倒ステップをカートの自重でパレット上面へ倒して前記カート通路からパレット上へカートを円滑に移動できるようにしたカート投入設備。
【発明の詳細な説明】
【０００１】
【発明の属する技術分野】
本発明は、配送センター等で物品を荷役・輸送・保管するために用いられるパレットに関し、詳しくは物品を運搬するかご車や手押し車又は台車等のカートをパレット上に固定して物品を積み付け、物品のパレットからカートへの移し替え作業を省略して物品を効率良く出荷できるようにする技術に関する。
【０００２】
【従来の技術】
従来、配送センター等において物品はパレットに単位数量とりまとめて積み付け、荷役・輸送・保管されている。ところで、積み付けた物品は出荷時に人手又は自動でパレットからカートへ積み直しを行い、カートで所定場所へ運搬していた。従って、物品のパレットからカートへの移し替えの作業無駄が発生しており、より効率良く出荷し得る手法が求められている。
【０００３】
【発明が解決しようとする課題】
本発明が解決しようとする課題は、従来のこれらの問題点を解消し、物品を運搬するカートをパレット上に脱着自在に固定して物品を積み付けることで、物品のパレットからカートへの移し替え作業を省略して物品を効率良く出荷できるようにするカート搬送用パレットを提供することにある。
【０００４】
【課題を解決するための手段】
かかる課題を解決した本発明の構成は、
１）  パレット本体の上面に物品を運搬するカートを脱着自在に固定するカート脱着手段を設け、物品を積み付けたカートごとパレットで搬送できるようにしたカート搬送用パレット
２）  カート脱着手段が、パレット本体の上面にパレット上に載置されたカートの前端部と係止するストッパを設け、前記パレット本体の上面に前記カートの側面と当接して前記カートを前記ストッパとの係止位置へ案内する側面ガイドを設け、前記パレット本体上面の前記側面ガイドと対向する位置に係止した前記カートを側面ガイド側へ付勢力で押し付ける押付手段を設けたものである前記１）記載のカート搬送用パレット
３）  押付手段が、長板部材の一端部を回動自在に軸支してバネで側面ガイド側へ付勢するようにし、前記長板部材のカート出入側部を側面ガイドから離間するように形成し、カートをストッパ側へ円滑に案内しながら側面ガイド側へ押付できるようにしたものである前記２）記載のカート搬送用パレット
４）  押付手段の押付状態の保持及びその解除を行う操作ペダルを設けた前記２）又は３）記載のカート搬送用パレット
５）  パレット本体の上面に金属製の平滑な面板を敷設し、カートの移動を円滑にした前記１）〜４）いずれか記載のカート搬送用パレット
６）  前記１）〜５）いずれか記載のカート搬送用パレットを移送するコンベヤの途中にカートを前記カート搬送用パレットへ投入するカート通路を設け、同カート通路の路端に同路端から前記パレット上面と重なる位置までの長さを有する可倒ステップを上方へ浮くように付勢して設け、カート投入時に前記可倒ステップをカートの自重でパレット上面へ倒して前記カート通路からパレット上へカートを円滑に移動できるようにしたカート投入設備
にある。
【０００５】
【作用】
本発明によれば、物品を運搬するカートをパレット上に脱着自在に固定した状態で物品を積み付け、出荷時にパレットからカートを降ろして所定場所へ運搬することで、パレットからカートへの物品の移し替え作業を省略して効率的な出荷が行なわれる。
【０００６】
【発明の実施の形態】
本発明の押付手段は、長板部材の一端部を回動自在に軸支してバネ等で側面ガイド側へ付勢するようにし、同長板部材のカート出入側部を側面ガイドから離間するように（例えば鈍角なくの字状）形成すると、カートをストッパ側へ円滑に案内しながら側面ガイド側へ押付できる。また、押付手段の押付状態の保持及びその解除を行う操作ペダルを設けると操作性が向上する。
【０００７】
パレットの上面には金属製の平滑な面板を敷設すると、カートの移動を円滑にできる。パレット本体は木製やプラスチック等公知のものが用いられ、同パレット本体の上面にストッパや側面ガイド，前記押付手段を別途取り付けた構造が安価に構成できる。以下、本発明の実施例を図面に基づいて具体的に説明する。
【０００８】
【実施例】
図１〜１０に示す実施例は、パレット本体上に固定したかご車からなる店舗別カートに物品を直接パレタイザで積み付ける例である。図１は実施例のカート搬送用パレットの平面図、図２は実施例のカート搬送用パレットの側面図、図３は図２のＡ−Ａ断面図、図４は実施例のパレタイザの側面図、図５は実施例のリフターの側面図、図６は実施例のリフターの背面図、図７は実施例の物品出庫設備のレイアウト図、図８，９は実施例のカート搬送用パレットへのカートの投入を示す説明図、図１０は実施例の押付ガイドによるカートの固定を示す説明図である。
【０００９】
本実施例のカート搬送用パレットＡは、図１〜３に示すように長さ１４００ｍｍ，幅９４０ｍｍ，厚さ１５ｍｍの２枚のパネル１ａ間に長さ１４００ｍｍ，幅６０ｍｍ，高さ９０ｍｍの角材１ｂを長手方向に３本所定間隔に介して一体的な木製のパレット本体１を構成し、その上面に金属製の面板２をボルト２ａで螺着し、面板２上面の短手片端部には高さ１５０ｍｍの２体のストッパ３をネジ３ａで位置を調整自在に取り付け、同各ストッパ３と隣接する面板２上面の長手片端部に略くの字状の折曲部４ａを片端に形成した長さ１２００ｍｍの側面ガイド４をボルト４ｂで長手方向に沿って取り付け、面板２上面の側面ガイド４の対向する位置に略くの字状に鈍角に折曲した押付ガイド５をピン５ａで回動自在に軸支し、同押付ガイド５を側面ガイド４側へ押付して解除可能にロックするロック機構６を設けている。
【００１０】
ロック機構６は、斜め孔６ａとＬ字孔６ｂが形成されたガイド体６ｃを面板２上に立設し、ガイド体６ｃ内にスライド板６ｄを挿入して押付ガイド５の左端と固着し、押付ペダル６ｅを備えたペダル軸６ｆを斜め孔６ａからスライド板６ｄを貫通させて面板２上に軸支し、解除ペダル６ｇを備えたペダル軸６ｈをＬ字孔６ｂからスライド板６ｄを貫通させて面板２上に軸支し、解除ペダル６ｇの軸支部分と押付ガイド５との間にバネ６ｉを介して側面ガイド４側へ付勢している。
【００１１】
パレタイザはＢは、図４に示すように物品Ｗを供給するコンベヤ１８の終端部下方にレール１１ａを備えた土台１１を設け、同土台１１上に垂直のフレーム１２ａを備えた移動体１２をモータ１２ｂの駆動力で進退自在に設け、同フレーム１２ａのコンベヤ１８側にリフター１４を昇降自在に設け、リフター１４には図５，６に示すように上側に大面積の第１背板１５を４個のプッシャー１７で進退自在に取り付け、下側には小面積の第２背板１６を２個のプッシャー１７で進退自在に取り付けている。第２背板１６の高さはカートＣと略同じ、第１背板１５の下端はカートＣに干渉しない高さとしている。
【００１２】
このパレタイザＢの左右に、図７に示すようにカート搬送用パレットＡと常用パレットＤとを混在させて移送する混在コンベヤ２１を設け、同混在コンベヤ２１の始終端部にカート搬送用パレットＡと常用パレットＤを個別に移送するコンベヤ２２，２３をそれぞれ設け、コンベヤ２２の移送先にカートＣの投入引出を行うカート通路２４を設け、カートＣを固定したカート搬送用パレットＡをパレタイザＢ方向へ移送するトラバーサ２５を設けて物品出庫設備を構成している。
【００１３】
本実施例では、図８（ａ）に示すように空のカート搬送用パレットＡがコンベヤ２２で搬送されてくる。図９に示すように可倒ステップ２６をバネの付勢力で若干浮かせ、図８（ｂ）に示すように押付ガイド５を解圧させた状態でカートＣを面板２上に投入してストッパ３側へ側面ガイド４に沿って移動させ、図８（ｃ）に示すようにカートＣのフレームがストッパ３に当接した状態でフットブレーキでロックし、図１０に示すように押付ペダル６ｅで押付ガイド５をカートＣの側部へ側面ガイド４と挟持するように押し付け、解除ペダル６ｇのペダル軸６ｈがＬ字孔６ｂに掛止することで押付ガイド５を固定して押付状態を保持し、図９に示すようにかご棚Ｃａを取り外す。
【００１４】
このカートＣを固定したカート搬送用パレットＡを図４に示すようにパレタイザＢのリフター１４に載置し、パレットガイド１９に係止してコンベヤ１８まで上昇させ、プッシャー１７で第１背板１５を前方へせり出し、コンベヤ１８で搬送された物品ＷをカートＣ上に積み付け、リフター１４を下降させながら物品Ｗを次々と段積する。
【００１５】
カートＣ上に所定量の物品Ｗを積み付け後はコンベヤ２２でカート通路２４へ移送され、かご棚Ｃａを取り付けてカート搬送用パレットＡの押付ガイド５を解圧し、カートＣを面板２上から降ろすことで所望の場所へ運搬されることとなる。
【００１６】
【発明の効果】
以上説明したように、本発明によれば物品を運搬するカートをパレット上に固定して物品を積み付けて荷役・輸送・保管を行うことで、出荷時にパレットからカートを降ろすだけでそのまま所定場所に運搬し、パレットからカートへの物品の移し替え作業を省略して効率良く出荷できる。
【図面の簡単な説明】
【図１】実施例のカート搬送用パレットの平面図である。
【図２】実施例のカート搬送用パレットの側面図である。
【図３】図２のＡ−Ａ断面図である。
【図４】実施例のパレタイザの側面図である。
【図５】実施例のリフターの側面図である。
【図６】実施例のリフターの背面図である。
【図７】実施例の物品出庫設備のレイアウト図である。
【図８】実施例のカート搬送用パレットへのカートの投入を示す説明図である。
【図９】実施例のカート搬送用パレットへのカートの投入を示す説明図である。
【図１０】実施例の押付ガイドによるカートの固定を示す説明図である。
【符号の説明】
１  パレット本体
１ａ  パネル
１ｂ  角材
２  面板
２ａ  ボルト
３  ストッパ
３ａ  ネジ
４  側面ガイド
４ａ  折曲部
４ｂ  ボルト
５  押付ガイド
５ａ  ピン
６  ロック機構
６ａ  斜め孔
６ｂ  Ｌ字孔
６ｃ  ガイド体
６ｄ  スライド板
６ｅ  押付ペダル
６ｆ  ペダル軸
６ｇ  解除ペダル
６ｈ  ペダル軸
６ｉ  バネ
１１  土台
１１ａ  レール
１２  移動体
１２ａ  フレーム
１２ｂ  モータ
１４  リフター
１５  第１背板
１６  第２背板
１７  プッシャー
１８  コンベヤ
１９  パレットガイド
２１  混在コンベヤ
２２，２３  コンベヤ
２４  カート通路
２５  トラバーサ
２６  可倒ステップ
Ａ  カート搬送用パレット
Ｂ  パレタイザ
Ｃ  カート
Ｃａ  かご棚
Ｄ  常用パレット
Ｗ  物品
【図１】
2004299746.tif 000003
【図２】
2004299746.tif 000004
【図３】
2004299746.tif 000005
【図４】
2004299746.tif 000006
【図５】
2004299746.tif 000007
【図６】
2004299746.tif 000008
【図７】
2004299746.tif 000009
【図８】
2004299746.tif 000010
【図９】
2004299746.tif 000011
【図１０】
2004299746.tif 000012